(57)【特許請求の範囲】
【請求項１】
ＬＥＤを実装した基板と、前記基板が配設される金属フレームと、前記基板を覆う透光性のカバー部材とを有する長尺状の光源と；
前記光源を点灯させる電源ユニットが配設されるとともに前記光源を保持する器具本体と；
を有し、前記光源を常用点灯用光源として使用するとともに、外部電源からの給電が停止した非常時には、内蔵した蓄電池の電力を用いて非常灯として使用するＬＥＤ非常灯併用形照明器具において、
前記光源のカバー部材は、表面が全て不燃性の材料で形成されるとともに、
前記カバー部材が取り付けられた前記金属フレームと前記器具本体との間に形成される空間内に前記器具本体に配設された前記電源ユニットと前記光源とを電気的に接続するコネクタが設けられ、かつ
前記器具本体は、前記金属フレームの取付部が取り付けられる金属の取付受部を有し、
前記電源ユニットは、前記金属の取付受部に挟まれて配置されることを特徴とするＬＥＤ非常灯併用形照明器具。
【請求項２】
前記カバー部材は、樹脂製のカバー部材本体と、このカバー部材本体の表面に貼り付けた不燃材シートとを有することを特徴とする請求項１に記載のＬＥＤ非常灯併用形照明器具。
【請求項３】
前記コネクタは、前記器具本体側の配線と接続される本体側コネクタと、前記光源側の配線と接続される光源側コネクタとを有し；
前記本体側コネクタは、前記器具本体との組合せに適合しない非適合光源の前記光源側コネクタが接続されることを防止する防止部を有することを特徴とする請求項１に記載のＬＥＤ非常灯併用形照明器具。
【請求項４】
前記防止部は、前記本体側コネクタが前記器具本体に適合しない前記非適合光源の前記光源側コネクタと対応しない形状であり、且つ前記器具本体に適合する適合光源の前記光源側コネクタと対応した形状で構成されていることを特徴とする請求項３に記載のＬＥＤ非常灯併用形照明器具。
【請求項５】
前記器具本体は、点灯回路を制御して前記光源の点灯を制御する制御部をさらに有し、；
前記防止部は、前記制御部に設けられているものであって、且つ、前記本体側コネクタに接続された前記光源が前記非適合光源であるか否か判定する判定部を有することを特徴とする請求項３に記載のＬＥＤ非常灯併用形照明器具。
【請求項６】
前記制御部は、前記判定部の判定により前記非適合光源であると判定された場合、前記光源の点灯を制御して外部に報知することを特徴とする請求項５に記載のＬＥＤ非常灯併用形照明器具。
【発明の詳細な説明】
【技術分野】
【０００１】
本発明の実施形態は、ＬＥＤ非常灯併用形照明器具に関する。
【背景技術】
【０００２】
例えば住宅や、商業施設、工場等の天井面に直接取り付けられる従来の照明器具の一例として、非常灯併用形照明器具が開発されている。この非常灯併用形照明器具は、器具本体に取り付けた標準器具の光源を常用点灯用光源として使用するとともに、外部電源からの給電が停止した非常時には、内蔵した蓄電池の電力を用いて常用点灯用光源と同じ光源を点灯させる構成になっている。
【０００３】
この非常灯併用形照明器具の器具本体にＬＥＤバータイプの光源を取り付け、このＬＥＤバータイプの光源を常用点灯用光源および非常灯として使用することが考えられている。
【先行技術文献】
【特許文献】
【０００４】
【特許文献１】特開２０１１−９０９２６号公報
【発明の概要】
【発明が解決しようとする課題】
【０００５】
ＬＥＤバータイプの光源は、光源のカバー部材が一般的に樹脂材料でできている。このカバー部材は、比較的複雑な形状に成形されているため、不燃材では製造しにくい課題がある。そのため、非常灯器具は、従来はＬＥＤバーとは別の光源を非常用光源として備えた非常灯組み込み形の構造としていた。
【０００６】
前述した従来の非常灯組み込み形構造の場合、標準器具と併設する際に、意匠が異なる、非常灯部分が常用時に点灯しないため、不連続な光り方をする、等の課題がある。また、器具本体に標準器具と異なる構造の非常灯部分を設置する必要があり、コストが高くなる問題もある。
【課題を解決するための手段】
【０００７】
実施形態のＬＥＤ非常灯併用形照明器具は、ＬＥＤを実装した基板と、前記基板が配設される金属フレームと、前記基板を覆う透光性のカバー部材とを有する長尺状の光源と；前記光源を点灯させる電源ユニットが配設されるとともに前記光源を保持する器具本体と；を有し、前記光源を常用点灯用光源として使用するとともに、外部電源からの給電が停止した非常時には、内蔵した蓄電池の電力を用いて非常灯として使用する。前記光源のカバー部材は、表面が全て不燃性の材料で形成されるとともに、前記カバー部材が取り付けられた前記金属フレームと前記器具本体との間に形成される空間内に前記器具本体に配設された前記電源ユニットと前記光源とを電気的に接続するコネクタが設けられている。さらに、前記器具本体は、前記金属フレームの取付部が取り付けられる金属の取付受部を有し、前記電源ユニットは、前記金属の取付受部に挟まれて配置されている。
【発明の効果】
【０００８】
請求項１は、表面が全て不燃性の材料で形成されているカバー部材を有する構成とすることで、ＬＥＤバー自体を非常用光源にすることができる。これにより非常灯併用形を実現でき、常用点灯用光源と同一意匠の非常用光源を実現でき、前述した課題を解決することができる。  
請求項２は、カバー部材を樹脂製のカバー部材本体と、このカバー部材本体の表面に貼り付けた不燃材シートとを有する構造とすることで、請求項１と同様の効果が得られる。
【図面の簡単な説明】
【０００９】
【図１】図１は、第１の実施の形態のＬＥＤ非常灯併用形照明器具の全体の外観を示す斜視図である。
【図２】図２は、第１の実施の形態のＬＥＤ非常灯併用形照明器具の器具本体と光源とを分離した状態を示す斜視図である。
【図３】図３は、第１の実施の形態のＬＥＤ非常灯併用形照明器具の器具本体に光源を着脱する途中の状態を示す斜視図である。
【図４】図４は、第１の実施の形態のＬＥＤ非常灯併用形照明器具の取付けばねとばね受け金具との連結部分とコネクタの連結部分を示す斜視図である。
【図５】図５は、第１の実施の形態のＬＥＤ非常灯併用形照明器具のコネクタの連結部分を示す平面図である。
【図６】図６は、第１の実施の形態のＬＥＤ非常灯併用形照明器具の光源のカバー部材を示す横断面図である。
【図７】図７は、第２の実施の形態のＬＥＤ非常灯併用形照明器具の光源のカバー部材を示す横断面図である。
【発明を実施するための形態】
【００１０】
図１乃至図６は、第１の実施の形態のＬＥＤ非常灯併用形照明器具１を示す。図１は、第１の実施の形態のＬＥＤ非常灯併用形照明器具１の全体の外観を示す斜視図である。本実施形態のＬＥＤ非常灯併用形照明器具１は、ＬＥＤバータイプの光源２を保持する器具本体３を有する。そして、光源２を常用点灯用光源として使用するとともに、外部電源からの給電が停止した非常時には、内蔵した蓄電池の電力を用いて常用点灯用光源と同じ光源２を非常灯として使用する。
【００１１】
器具本体３は、図２および図３に示すようにほぼ直方体形状のケース部材４を有する。このケース部材４は、ボルトなどの固定具によって天井などに固定される。ケース部材４は、図２および図３中で下面が開口されて下面開口部４ａが形成されている。このケース部材４の内部には、長手方向に沿って中央部側に２つの電源ユニット（第１の電源ユニット５Ａと第２の電源ユニット５Ｂ）が並設されている。第１の電源ユニット５Ａは、例えば常用点灯用の点灯回路を内蔵した常用点灯用の電源ユニットである。常用点灯用の点灯回路は、商用電源Ｖａｃから供給された電力により点灯回路の出力端子に接続される常用光源としての光源２を点灯させる。なお、器具本体３側の取付構造が通常の光源とは異なる特別な構造であり、ＬＥＤ非常灯併用形の光源しか取り付かない構成でもよい。
【００１２】
また、第２の電源ユニット５Ｂは、例えば非常用照明部として使用する非常灯用の点灯回路および図示しない蓄電池を内蔵した非常灯用の電源ユニットである。そして、第２の電源ユニット５Ｂは、商用電源Ｖａｃから供給された電力を蓄電池に蓄電し、商用電源Ｖａｃからの電力の遮断時には、蓄電池の電力により常用光源と同じ光源２を所定時間点灯させる。
【００１３】
さらに、ケース部材４の内部には、長手方向の一端部に電源用端子台６が配置され、他端部に信号用端子台７が配置されている。電源用端子台６には、電源線およびアース線が接続される。信号用端子台７には、信号線が接続される。
【００１４】
また、ケース部材４の内部には、電源用端子台６と第１の電源ユニット５Ａとの間に光源２の取付け時に使用する第１のばね受け金具８ａが固定されている。同様に、信号用端子台７と第２の電源ユニット５Ｂとの間には、第２のばね受け金具８ｂが固定されている。２つのばね受け金具８ａ、８ｂは同一構造であるため、ここでは一方の第１のばね受け金具８ａの構造を説明する。なお、第２のばね受け金具８ｂにおける第１のばね受け金具８ａと同一部分には同一の符号を付してその説明を省略する。
【００１５】
第１のばね受け金具８ａは、図４に示すように固定板９と、この固定板９に固定された連結プレート１０とを有する。固定板９は、ケース部材４の内底部に固定されている。連結プレート１０は、ほぼ矩形枠状に形成されている。この連結プレート１０には、固定板９との連結部とは反対側の端部にフック状の係合部１１が形成されている。
【００１６】
図６は、第１の実施の形態のＬＥＤ非常灯併用形照明器具１の長尺状の光源２を示す横断面図である。光源２は、長尺状の金属フレーム（取付部）１５の上に基板１６が配設されている。この基板１６の上には、複数のＬＥＤチップ１７が金属フレーム１５の長手方向に並設された状態で実装されている。各ＬＥＤチップ１７は、それぞれ蛍光粒子を含む封止樹脂１８で封止されている。
【００１７】
さらに、金属フレーム１５の上には、基板１６を覆う透光性のカバー部材１４が装着されている。カバー部材１４は、ほぼかまぼこ型に成形されたカバー本体１４ａを有する。このカバー本体１４ａの底面には、開口面１４ｂが形成されている。そして、カバー部材１４の内部に光源２が収容された状態で、カバー本体１４ａの開口面１４ｂの端縁部が、金属フレーム１５の端縁部に係合されて固定されている。
【００１８】
本実施形態では、カバー部材１４は、このカバー本体１４ａ自体が不燃材、例えば透光性を有するガラスで形成されている。これにより、表面が全て不燃性の材料で形成されているカバー部材１４が形成されている。
【００１９】
金属フレーム１５の裏面には、図２に示すように２つの取付けばね１９ａ、１９ｂが固定されている。これらの取付けばね１９ａ、１９ｂは、ケース部材４の２つのばね受け金具８ａ、８ｂと対応する位置に配置されている。また、２つの取付けばね１９ａ、１９ｂは、ほぼＵ字状のトーションばねによって形成されている。各取付けばね１９ａ、１９ｂは、２本の縦ワイヤ２０ａ、２０ｂと、２本の縦ワイヤ２０ａ、２０ｂの先端間を連結する横ワイヤ２０ｃと、２本の縦ワイヤ２０ａ、２０ｂの基端部２０ｄ１、２０ｄ２とを有する。２本の縦ワイヤ２０ａ、２０ｂの基端部２０ｄ１、２０ｄ２は、軸支部２１を介して金属フレーム１５の裏面に回動可能に支持されている。
【００２０】
そして、図４に示すように２つの取付けばね１９ａ、１９ｂは、横ワイヤ２０ｃの部分がばね受け金具８ａ、８ｂの係合部１１に引っ掛けられた状態で、ばね受け金具８ａ、８ｂに係脱可能に係合される。この状態で、図３に示すように器具本体３に対して光源２が２つの取付けばね１９ａ、１９ｂを介して吊り下げられた状態で保持可能になっている。さらに、この吊り下げ状態から光源２を器具本体３に接近させる方向に押し上げる。このとき、光源２の押し上げ動作にともない２つの取付けばね１９ａ、１９ｂは、ばね受け金具８ａ、８ｂの係合部１１の両側を通り外側に広がりながらスライドすることで、２つの取付けばね１９ａ、１９ｂは横向きに倒れた状態に回動する。これにより、光源２を器具本体３に装着することができる。
【００２１】
また、図４に示すように器具本体３側の配線２２は、本体側コネクタ２３に接続されている。同様に、光源２の配線２４は、光源側コネクタ２５に接続されている。そして、光源２を器具本体３に装着する際には、本体側コネクタ２３と、光源側コネクタ２５との接続作業が必要になる。
【００２２】
本実施形態では、例えば、本体側コネクタ２３の端子は、ＬＥＤ非常灯併用形照明器具１に適合したＬＥＤ光源２の光源側コネクタ２５の端子と対応し、且つＬＥＤ非常灯併用形照明器具に適合しないＬＥＤ光源の光源側コネクタの端子と対応しない形状で形成されている。具体的には、ＬＥＤ非常灯併用形照明器具１に適合したＬＥＤ光源２の端子のピンの数と、ＬＥＤ非常灯併用形照明器具に適合しないＬＥＤ光源の端子のピンの数とが異なる場合に、本体側コネクタ２３の端子は、ＬＥＤ非常灯併用形照明器具１に適合した光源側コネクタ２５の端子とピンの数が一致するように構成されている。このような構成によると、ＬＥＤ非常灯併用形照明器具１に適合しないＬＥＤ光源の光源側コネクタの端子と本体側コネクタ２３の端子とで形状が異なる為、物理的に接続することができない。これにより、ＬＥＤ非常灯併用形照明器具１の本体側コネクタ２３の端子にＬＥＤ非常灯併用形照明器具に適合しないＬＥＤ光源が接続されることを防止する。
【００２３】
本実施の形態のＬＥＤ非常灯併用形照明器具１では、表面が不燃性のカバー部材１４を有する構成とすることで、ＬＥＤバー自体を非常用光源にすることができる。これにより非常灯併用形照明器具１を実現でき、常用点灯用光源と同一意匠の非常用光源を実現できる。
【００２４】
また、本実施形態では、本体側コネクタ２３は、ＬＥＤ非常灯併用形照明器具１に適合しない非適合光源の光源側コネクタと対応しない形状であり、且つＬＥＤ非常灯併用形照明器具１に適合するＬＥＤ光源２の光源側コネクタ２５と対応した形状で構成されている。そのため、本体側コネクタ２３は、ＬＥＤ非常灯併用形照明器具１との組合せに適合しない非適合光源としてのＬＥＤ光源の光源側コネクタが接続されることを防止することができる。
【００２５】
なお、本実施形態では、本体側コネクタ２３と、光源側コネクタ２５との接続部分をＬＥＤ非常灯併用形照明器具１に適合させた専用のコネクタ形状にすることで、機械的にＬＥＤ非常灯併用形照明器具１に適合しない非適合光源の光源側コネクタとの接続を防止する構成の一例を示した。これに替えて、器具本体３に装着された第１の電源ユニット５Ａまたは第２の電源ユニット５Ｂの少なくともいずれか一方に組み込まれた各種の処理機能を実現する図示しない制御部によってＬＥＤ非常灯併用形照明器具１に適合しない非適合光源の光源側コネクタとの接続を電気的に防止する構成にしてもよい。例えば、制御部は、ＣＰＵ等のプロセッサ、プログラムメモリ、ワーキングメモリ及び各種インターフェースなどで構成される。制御部は、プロセッサがプログラムメモリに記憶したプログラムを実行することにより、各種の処理機能を実現する。
【００２６】
例えば、制御部は、第１の電源ユニット５Ａまたは第２の電源ユニット５Ｂの少なくともいずれか一方に組み込まれた点灯回路により入力された制御信号に基づいて、本体側コネクタ２３に接続されたＬＥＤ光源２の電気的特性を示す制御信号を認識する。具体的には、点灯回路は、本体側コネクタ２３に接続されたＬＥＤ光源２の抵抗値の検知結果を制御信号として制御部に入力する。制御部は、受信した制御信号を解析することにより、本体側コネクタ２３に接続されたＬＥＤ光源２の抵抗値を認識する。
【００２７】
このとき、制御部は、認識結果に基づいて、本体側コネクタ２３に接続されたＬＥＤ光源２の電気的特性に対応する情報が記憶部に登録情報として登録されているか否か判断する。例えば、制御部は、認識した抵抗値と一致、または差が所定値未満である抵抗値が記憶部に登録情報として登録されているか否か判断する。具体的には、制御部は、認識した抵抗値と、登録情報として登録されている各抵抗値と、の差をそれぞれ算出することによって、認識した抵抗値と一致または差が所定値未満である抵抗値が記憶部に登録情報として登録されているか否か判断する。
【００２８】
制御部は、認識した抵抗値と一致、または差が所定値未満である抵抗値が記憶部に登録情報として登録されている場合、本体側コネクタ２３に接続されたＬＥＤ光源２の電気的特性に対応する情報が記憶部に登録情報として登録されていると判断する。制御部は、本体側コネクタ２３に接続されたＬＥＤ光源２の電気的特性に対応する情報が記憶部に登録情報として登録されていないと判断した場合、本体側コネクタ２３に接続されたＬＥＤ光源２が器具本体３との組合せに適合しない非適合光源であると判定する。また、制御部は、認識した抵抗値と一致、または差が所定値未満である抵抗値が記憶部に登録情報として登録されている場合、器具本体３に接続されたＬＥＤ光源２の電気的特性に対応する情報が記憶部に登録情報として登録されていると判断する。制御部は、本体側コネクタ２３に接続されたＬＥＤ光源２の電気的特性に対応する情報が記憶部に登録情報として登録されていると判断した場合、本体側コネクタ２３に接続されたＬＥＤ光源２が適合である（適合光源である）と判定する。これにより、制御部は、本体側コネクタ２３に接続されたＬＥＤ光源２が当該器具本体３に適合するか否か判定する判定部として機能する。
【００２９】
制御部は、本体側コネクタ２３に接続されたＬＥＤ光源２が非適合光源であると判定した場合、器具本体３に取り付けられたＬＥＤ光源２が非適合光源であることをユーザに報知する為の報知動作を実行するように点灯回路を制御する。また、制御部は、本体側コネクタ２３に接続されたＬＥＤ光源２が適合光源であると判定した場合、通常の点灯動作を実行するように点灯回路を制御する。
【００３０】
点灯回路が実行する報知動作は、種々のパターンがあってもよい。例えば、点灯回路が実行する報知動作は、ＬＥＤ光源２を点灯させない動作である。また、例えば、点灯回路が実行する報知動作は、ＬＥＤ光源２を減光させて点灯させる動作である。また、例えば、点灯回路が実行する報知動作は、ＬＥＤ光源２を点滅点灯させる動作である。制御部は、上記のように点灯回路を制御することにより、本体側コネクタ２３に接続されたＬＥＤ光源２が器具本体３に適合しないと判定された場合に器具本体３に適合しないＬＥＤ光源２が接続されたことを報知する報知部として機能する。
【００３１】
図７は、第２の実施の形態のＬＥＤ非常灯併用形照明器具３１を示す。本実施の形態は、第１の実施の形態（図１乃至図６参照）のＬＥＤ非常灯併用形照明器具１の構成を次の通り変更した変形例である。なお、図７中で、図１乃至図６と同一部分には同一の符号を付してその説明を省略する。
【００３２】
本実施の形態のＬＥＤ非常灯併用形照明器具３１は、光源２のカバー部材３２が樹脂材料で形成されている。この樹脂材料製のカバー部材３２は、その表面を不燃材シート３３、または、コーティング部材、例えばガラスコートで覆った構造とする。本実施形態では、樹脂材料製のカバー部材３２の表面に不燃材シート３３を貼り付けている。
【００３３】
本実施の形態のＬＥＤ非常灯併用形照明器具３１では、樹脂材料製のカバー部材３２の表面に不燃材シート３３を貼り付けることで、可燃性の樹脂材料製のカバー部材３２の表面を不燃性にすることができる。そのため、本実施形態でもＬＥＤバー自体をＬＥＤ非常灯併用形照明器具３１の光源２に使用することができる。これにより非常灯併用形照明器具３１を実現でき、常用点灯用光源と同一意匠の非常用光源を実現できる。
【００３４】
これらの実施形態によれば、表面が不燃性のカバー部材を有する構成とすることで、ＬＥＤバー自体を非常用光源にすることができる。これにより非常灯併用形を実現でき、常用点灯用光源と同一意匠の非常用光源を実現できるＬＥＤ非常灯併用形照明器具を提供することができる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。 
［１］長尺状の取付部と、この取付部に設けられたＬＥＤを実装した基板と、前記基板を覆う透光性のカバー部材とを有する長尺状の光源と；前記光源を保持する器具本体と；を有し、前記光源を常用点灯用光源として使用するとともに、外部電源からの給電が停止した非常時には、内蔵した蓄電池の電力を用いて非常灯として使用するＬＥＤ非常灯併用形照明器具において、前記光源のカバー部材は、表面が全て不燃性の材料で形成されていることを特徴とするＬＥＤ非常灯併用形照明器具。 
［２］前記カバー部材は、樹脂製のカバー部材本体と、このカバー部材本体の表面に貼り付けた不燃材シートとを有することを特徴とする［１］に記載のＬＥＤ非常灯併用形照明器具。 
［３］前記器具本体は、前記器具本体側の配線と接続される本体側コネクタを有し；前記光源は、前記光源側の配線と接続される光源側コネクタを有し；前記本体側コネクタは、前記器具本体との組合せに適合しない非適合光源の前記光源側コネクタが接続されることを防止する防止部を有することを特徴とする［１］に記載のＬＥＤ非常灯併用形照明器具。 
［４］前記防止部は、前記本体側コネクタが前記器具本体に適合しない非適合光源の光源側コネクタと対応しない形状であり、且つ前記器具本体に適合する適合光源の前記光源側コネクタと対応した形状で構成されていることを特徴とする［３］に記載のＬＥＤ非常灯併用形照明器具。 
［５］前記器具本体は、前記器具本体側の配線と接続される本体側コネクタと；点灯回路を制御して前記光源の点灯を制御する制御部と、をさらに有し、；前記防止部は、前記制御部に設けられているものであって、且つ、前記本体側コネクタに接続された前記光源が非適合光源であるか否か判定する判定部を有することを特徴とする［１］に記載のＬＥＤ非常灯併用形照明器具。 
［６］前記制御部は、前記判定部の判定により非適合光源であると判定された場合、前記光源の点灯を制御して外部に報知することを特徴とする［５］に記載のＬＥＤ非常灯併用形照明器具。
【符号の説明】
【００３６】
１…非常灯併用形照明器具、２…ＬＥＤ光源、３…器具本体、４…ケース部材、４ａ…下面開口部、５Ａ…第１の電源ユニット、５Ｂ…第２の電源ユニット、６…電源用端子台、７…信号用端子台、８ａ…第１のばね受け金具、８ｂ…第２のばね受け金具、９…固定板、１０…連結プレート、１１…係合部、１４…カバー部材、１４ａ…カバー本体、１４ｂ…開口面、１５…金属フレーム（取付部）、１６…基板、１７…ＬＥＤチップ、１８…封止樹脂、１９ａ…取付けばね、１９ｂ…取付けばね、２０ａ…縦ワイヤ、２０ｂ…縦ワイヤ、２０ｃ…横ワイヤ、２０ｄ１…基端部、２０ｄ２…基端部、２１…軸支部、２２…配線、２３…本体側コネクタ、２４…配線、２５…光源側コネクタ、３１…ＬＥＤ非常灯併用形照明器具、３２…カバー部材、３３…不燃材シート。
【図１】
0006736857.tif 000002
【図２】
0006736857.tif 000003
【図３】
0006736857.tif 000004
【図４】
0006736857.tif 000005
【図５】
0006736857.tif 000006
【図６】
0006736857.tif 000007
【図７】
0006736857.tif 000008